(57)【特許請求の範囲】
【請求項１】
ランプハウジングとレンズにより灯室が画成されており、前記灯室内には光源が配置されており、かつ前記灯室内には前記光源からの光を前記レンズ側に反射させる反射面を有するリフレクタが配置されている前照灯において、
前記反射面からの反射光を再度反射させるサブ反射面を有し、かつフレキシブル性を有し、湾曲傾動して前記サブ反射面からの再度反射光の照射方向を変えるサブリフレクタと、
前記サブリフレクタを湾曲傾動させて前記サブ反射面からの再度反射光の照射方向を変えて制御する駆動制御装置と、
を備えたことを特徴とする前照灯における照射方向制御装置。
【請求項２】
前記サブリフレクタは、板厚が一端側から他端側にかけて徐々に薄くなる板形状をなし、前記サブリフレクタの一端側は前記反射面側に近づけた状態で前記リフレクタにシャフトにより傾動可能に支持されており、前記サブリフレクタの他端側は前記レンズ側に向けられており、通常時には平板状態にあり、駆動制御時には湾曲状態にあり、
前記駆動制御装置は、駆動用アクチュエータと、前記駆動用アクチュエータと前記サブリフレクタの他端との間に設けられ、前記駆動用アクチュエータの駆動力を前記サブリフレクタの他端に伝達して前記サブリフレクタを湾曲傾動させる駆動力伝達機構と、前記駆動用アクチュエータ及び車両のステアリングに接続され、前記ステアリングの操舵方向及び操舵角度に基づき、前記駆動用アクチュエータ及び前記駆動力伝達機構を介し前記サブリフレクタを湾曲傾動させて、前記サブ反射面からの再度反射光の照射方向を変えて制御する制御部とから構成されている、
ことを特徴とする請求項１に記載の前照灯における照射方向制御装置。
【発明の詳細な説明】
【０００１】
【発明の属する技術分野】
本発明は、例えば、自動車のヘッドランプやフォグランプ等の前照灯において、ステアリングの操舵方向及び操舵角度に基づいて照射光の照射方向を変える制御装置に係り、特に、サブリフレクタを湾曲傾動させる量（可動量）が小さくても、照射光の照射方向を変える量（可変量）を大きくすることができ、照射光の照射方向を変える制御リスポンスが向上された前照灯における照射方向制御装置に関するものである。
【０００２】
なお、本明細書及び本図面において、符号「Ｌ」はドライバー側から前方を見た場合の左側のことを示し、また符号「Ｒ」はドライバー側から前方を見た場合の右側のことを示し、さらに符号「Ｕ」はドライバー側から前方を見た場合の上側のことを示し、さらにまた符号「Ｄ」はドライバー側から前方を見た場合の下側のことを示す。また、符号「ＨＬ−ＨＲ」は水平線のことを示し、符号「ＶＵ−ＶＤ」は垂直線のことを示す。
【０００３】
【従来の技術】
以下、従来の前照灯における照射方向制御装置を図８を参照して説明する。
図において、５３は例えば、自動車のヘッドランプやフォグランプ等の前照灯である。この図８において、前照灯５３は、横断面図で示されており、また自動車の前部の左右のいずれか一方が示されている。
この前照灯５３は、ランプハウジング５３ａとレンズ５３ｂにより灯室が画成されており、その灯室内には光源（図示せず）が配置されており、かつ灯室内には光源からの光をレンズ５３ｂ側にほぼ平行光として反射させる回転放物面の反射面を有するリフレクタ５３ｃが配置されているものである。なお、この図示の例は、ランプハウジング５３ａとリフレクタ５３ｃとが別個のものであるが、ランプハウジングとリフレクタが一体のものであっても良い。
上述の光源を点灯すると、その光源からの光がリフレクタ５３ｃの反射面でほぼ平行光として反射され、そのほぼ平行光の反射光がレンズ５３ｂを経て外部に図８中の矢印Ｓ方向に照射され、その結果、所定の配光パターン、例えば、図１０（ａ）に示すすれ違い用の配光パターンが得られる。
【０００４】
そして、上述の前照灯には照射方向制御装置が装備されている。
この照射方向制御装置は、前記リフレクタ５３ｃにシャフト５５により傾動可能に取り付けられた板形状のサブリフレクタ（ミラー）５４と、モータ及び減速機構からなる駆動用アクチュエータ５６と、この駆動用アクチュエータ５６と前記サブリフレクタ５４との間に設けられたレバーリンク機構の駆動力伝達機構５７と、前記駆動用アクチュエータ５６及び自動車のステアリング５１のステアリングセンサ１に接続された制御部５２とから構成されているものである。
上述のステアリング５１を左若しくは右に操舵すると、そのステアリング５１の操舵方向及び操舵角度に対応した検出信号がステアリングセンサ１から制御部５２に出力される。この制御部５２からステアリング５１の操舵方向及び操舵角度に基づいた駆動信号が駆動用アクチュエータ５６に出力される。この駆動用アクチュエータ５６が駆動信号に基づいて駆動する。これに伴い、駆動力伝達機構５７を介してサブリフレクタ５４がシャフト５５を中心として左右に傾動する。この結果、リフレクタ５３ｃの反射面でほぼ平行光として反射された反射光の一部がサブリフレクタ５４の左右のサブ反射面で再度反射されて照射方向が変えられる。
【０００５】
このように、ステアリング５１を左若しくは右に操舵すると、左右の前照灯５３からの照射光の一部、すなわちサブリフレクタ５４のサブ反射面で再度反射された再度反射光の照射方向が変えられて制御されることとなる。
例えば、ステアリング５１を左方向に操舵すると、図９に示すように、サブリフレクタ５４が左方向（反時計方向）に傾動し、リフレクタ５３ｃの反射面でほぼ平行光として反射された反射光Ｌ１の一部Ｌ２がサブリフレクタ５４の左のサブ反射面で再度反射されて照射方向が左に変えられる。この結果、ホットゾーンＨＺ（図１０中の格子部分）は、図１０（ａ）に示す基本配光パターンから図１０（ｂ）に示すように、距離Ｄ１分、左に振られることとなる。
なお、ステアリング５１を右方向に操舵すると、ホットゾーンＨＺは図１０（ａ）に示す基本配光パターンから右に振られることとなる。
そして、上述の前照灯における照射方向制御装置としては、例えば、特開平９−１１７９２号公報に記載のものがるある。
【０００６】
【発明が解決しようとする課題】
ところが、上述の従来の前照灯における照射方向制御装置は、剛性のサブリフレクタ５４を使用するので、サブリフレクタ５４は平面板状態で傾動することとなる。その結果、サブリフレクタ５４の可動量に対して照射光の照射方向の可変量Ｄ１が比例し、照射光の照射方向を変える制御リスポンス上課題がある。
【０００７】
本発明の目的は、サブリフレクタの可動量に対して照射光の照射方向の可変量を大きくすることができ、照射光の照射方向を変える制御リスポンスが向上された前照灯における照射方向制御装置を提供することにある。
【０００８】
【課題を解決するための手段】
本発明は、上記の課題を解決するために、
反射面からの反射光を再度反射させるサブ反射面を有し、かつフレキシブル性を有し、湾曲傾動してサブ反射面からの再度反射光の照射方向を変えるサブリフレクタと、
サブリフレクタを湾曲傾動させてサブ反射面からの再度反射光の照射方向を変えて制御する駆動制御装置と、
を備えたことを特徴とする。
【０００９】
この結果、本発明の前照灯における照射方向制御装置は、駆動制御装置によりサブリフレクタを湾曲傾動させると、反射面からの反射光をサブリフレクタのサブ反射面で再度反射させるので、その再度反射光の照射方向を変えることができる。このとき、本発明の前照灯における照射方向制御装置は、フレキシブル性のサブリフレクタを使用するので、サブリフレクタは湾曲した状態で傾動することとなり、サブリフレクタの可動量に対して照射光の照射方向の可変量を大きくすることができ、照射光の照射方向を変える制御リスポンスが向上されることとなる。
【００１０】
【発明の実施の形態】
以下、本発明の前照灯における照射方向制御装置の一実施の形態を図１乃至図７を参照して説明する。この例は、自動車のヘッドランプやフォグランプ等の前照灯について説明する。図中、図８乃至図１０と同符号は同一のものを示す。
【００１１】
図において、２はサブリフレクタである。このサブリフレクタ２は、フレキシブル性を有しかつ反射機能を有する板形状をなし、例えば、アルミ板から構成されている。このサブリフレクタ２の両面にはリフレクタ３の反射面３０からの反射光Ｌ１を再度反射させるサブ反射面２０がそれぞれ設けられている。このサブリフレクタ２は、湾曲した状態で傾動してサブ反射面２０からの再度反射光Ｌ２の照射方向を変えるものである。
このサブリフレクタ２は板厚が一端側Ｔ１から他端側Ｔ２にかけて徐々に薄くなる板形状をなす。このサブリフレクタ２の一端側の上下は反射面３０側に近づけた状態でリフレクタ３にシャフト２１により垂直軸Ｙ−Ｙ（光軸Ｚ−Ｚに対して直交し、かつ垂直線ＶＵ−ＶＤとほぼ平行な軸）回りにそれぞれ傾動可能に支持されている。このシャフト２１の両端はサブリフレクタ２とリフレクタ３とにプッシュナット等２２によりそれぞれ回動可能に取り付けられている。また、このサブリフレクタ２の他端側はレンズ側に向けられており、通常時には図２に示すように平板状態にあり、駆動制御時には図１に示すように湾曲状態にある。
【００１２】
すなわち、このサブリフレクタ２の一端側の板厚Ｔ１を厚くしてこの一端側にある程度の剛性（保持力）を持たせ、一方、このサブリフレクタ２の他端側の板厚Ｔ２を薄くしてこの他端側にある程度のフレキシブル性を持たせ、この結果、他端側を後述する駆動力伝達機構により引張ると、その他端側が湾曲してその状態でサブリフレクタ２はシャフト２１を中心に左右に傾動することとなる。
このサブリフレクタ２の一端側の中央であって光源３１が位置する箇所には凹部２３が設けられており、一方このサブリフレクタ２の他端側の中央には小円形の透孔２４が設けられている。
なお、上述の光源３１は、この光源３１のフィラメント（図示せず）がリフレクタ３の回転放物面の反射面３０の焦点近傍に位置するように、リフレクタ３に着脱可能に取り付けられている。
【００１３】
図において、４は駆動制御装置の駆動用アクチュエータである。この駆動用アクチュエータ４と前記サブリフレクタ２の他端との間には駆動力伝達機構が設けられている。この駆動力伝達機構は、駆動用アクチュエータ４の駆動軸に固定された駆動プーリ４０と、前記リフレクタ３の外側に配置された複数個の従動プーリ（ガイドローラ）４１と、駆動プーリ４０及び従動プーリ４１にエンドレスに掛け回されかつ前記サブリフレクタ２の小円形透孔２４にプッシュナット等４３により固定されたワイヤ４２とから構成されている。
前記駆動用アクチュエータ４と自動車のステアリング（図示せず）のステアリングセンサ（図示せず）には制御部（図示せず）が設けられている。この制御部は、前記ステアリングの操舵方向及び操舵角度に基づき、前記駆動用アクチュエータ４及び前記駆動力伝達機構４０、４１、４２、４３を介し前記サブリフレクタ２を湾曲傾動させて、前記サブ反射面２０からの再度反射光Ｌ２の照射方向を変えて制御するものであって、上述の従来技術のように公知のものである。
【００１４】
この実施の形態における本発明の前照灯の照射方向制御装置は、以上の如き構成からなるものであるから、ステアリングを左若しくは右に操舵すると、そのステアリングの操舵方向及び操舵角度に対応した検出信号がステアリングセンサから制御部に出力される。この制御部からステアリングの操舵方向及び操舵角度に基づいた駆動信号が駆動用アクチュエータ４に出力される。この駆動用アクチュエータ４が駆動信号に基づいて駆動する。これに伴い、駆動力伝達機構４０、４１、４２、４３を介して、サブリフレクタ２の他端側がワイヤ４２により引張られるので、サブリフレクタ２が湾曲した状態でシャフト２１を中心として左右に傾動する。この結果、リフレクタ３の反射面３０でほぼ平行光として反射された反射光Ｌ１の一部Ｌ２がサブリフレクタ２の左右のサブ反射面２０で再度反射されて照射方向が変えられる。
【００１５】
このように、ステアリングを左若しくは右に操舵すると、左右の前照灯からの照射光の一部、すなわちサブリフレクタ２のサブ反射面２０で再度反射された再度反射光Ｌ２の照射方向が変えられて制御されることとなる。
例えば、ステアリングを左方向に操舵すると、図１に示すように、サブリフレクタ２が湾曲した状態で左方向（反時計方向）に傾動し、リフレクタ３の反射面３０でほぼ平行光として反射された反射光Ｌ１の一部Ｌ２がサブリフレクタ２の左のサブ反射面２０で再度反射されて照射方向が左に変えられる。この結果、ホットゾーンＨＺ（図７中の格子部分）は、図７（ａ）に示す基本配光パターンから図７（ｂ）に示すように、距離Ｄ２分、左に振られることとなる。この距離Ｄ２は、サブリフレクタ５４が平面板状態で傾動する従来の前照灯の照射方向制御装置における距離Ｄ１（図１０（ｂ）参照）よりも大である。
なお、ステアリングを右方向に操舵すると、ホットゾーンＨＺは図７（ａ）に示す基本配光パターンから右に振られることとなる。
【００１６】
このとき、この実施の形態における本発明の前照灯の照射方向制御装置は、フレキシブル性のサブリフレクタ２を使用するので、サブリフレクタ２は湾曲した状態で傾動することとなり、サブリフレクタ２の可動量に対して照射光の照射方向の可変量Ｄ２を大きくすることができ、その分照射光の照射方向を変える制御リスポンスが向上されることとなる。
【００１７】
なお、上述の実施形態は、自動車のヘッドランプやフォグランプ等の前照灯について説明したが、本発明の前照灯における照射方向制御装置は、自動車のヘッドランプやフォグランプ等以外の前照灯にも適用できる。
また、上述の実施形態において、サブリフレクタ２はアルミ板から構成されているものであるが、その他の材質のものであっても良い。例えば、フレキシブル性を有する樹脂の表面に反射面をアルミ蒸着等により設けたものであっても良い。すなわち、フレキシブル性を有しかつ反射機能を有するものであれば良い。
【００１８】
【発明の効果】
以上から明らかなように、本発明の前照灯における照射方向制御装置は、フレキシブル性のサブリフレクタを使用するので、サブリフレクタは湾曲した状態で傾動することとなり、サブリフレクタの可動量に対して照射光の照射方向の可変量を大きくすることができ、照射光の照射方向を変える制御リスポンスが向上されることとなる。
【図面の簡単な説明】
【図１】本発明の前照灯における照射方向制御装置の一実施形態を示し、サブリフレクタが湾曲傾動している状態の横断面説明図である。
【図２】同じく、サブリフレクタが通常状態の平板状態の横断面説明図である。
【図３】同じく、リフレクタ、サブリフレクタ、光源、駆動用アクチュエータ及び駆動力伝達機構の側面図である。
【図４】同じく、リフレクタ、サブリフレクタ、光源、駆動用アクチュエータ及び駆動力伝達機構の縦断面図である。
【図５】同じく、サブリフレクタの斜視図である。
【図６】同じく、サブリフレクタを湾曲傾動させた状態の時の光路を示した説明図である。
【図７】（ａ）はすれ違い用の基本配光パターンを示した説明図、（ｂ）はホットゾーンを左に振った状態の配光パターンを示した説明図である。
【図８】従来の前照灯における照射方向制御装置を示し概略説明図である。
【図９】同じく、サブリフレクタを傾動させた状態の時の光路を示した説明図である。
【図１０】（ａ）はすれ違い用の基本配光パターンを示した説明図、（ｂ）はホットゾーンを左に振った状態の配光パターンを示した説明図である。
【符号の説明】
２…サブリフレクタ、２０…サブ反射面、２１…シャフト、Ｔ１…一端側の板厚、Ｔ２…他端側の板厚、３…リフレクタ、３０…反射面、３１…光源、４…駆動用アクチュエータ、４０、４１、４２、４３…駆動力伝達機構、Ｌ１…反射光、Ｌ２…再度反射光。
【図１】
0003846018.tif 000002
【図２】
0003846018.tif 000003
【図３】
0003846018.tif 000004
【図４】
0003846018.tif 000005
【図５】
0003846018.tif 000006
【図６】
0003846018.tif 000007
【図７】
0003846018.tif 000008
【図８】
0003846018.tif 000009
【図９】
0003846018.tif 000010
【図１０】
0003846018.tif 000011